(57)【特許請求の範囲】
【請求項１】
表示装置本体と、
前記表示装置本体の表面に配置され、表示された画像に対する操作を検出して信号を出力するタッチパネルと、
前記表示装置本体の表面に配置された発光部に光を発するように前記表示装置本体内に配置された発光装置と、
回転軸を中心に回転することができるように前記表示装置本体を支持する支持手段と、
を有し、
前記発光部は、前記表示装置本体の表面から見て少なくとも一部分が前記回転軸と重なるように配置され、且つ前記タッチパネルは、前記表示装置本体の表面から見て前記回転軸とは重ならない位置に配置され、
前記支持手段は、
前記回転軸の方向における前記表示装置本体の一端側に配置されている第一の蝶番機構と、
前記回転軸の方向における前記表示装置本体の他端側に配置されている第二の蝶番機構と、
を有し、
前記発光装置は、前記回転軸の方向において前記第一の蝶番機構と前記第二の蝶番機構との間に配置され、
前記発光装置の発光面を有する部材は、前記回転軸の方向において一端側の幅が他端側の幅よりも狭く、
前記第一の蝶番機構は、前記発光装置の前記一端側が前記発光装置の前記他端側よりも狭いことにより前記発光装置と前記表示装置本体との間に形成される空間に少なくとも一部が配置されている表示装置。
【請求項２】
表示装置本体と、
前記表示装置本体の表面に配置され、表示された画像に対する操作を検出して信号を出力するタッチパネルと、
前記表示装置本体の表面に配置された発光部に光を発するように前記表示装置本体内に配置された発光装置と、
回転軸を中心に回転することができるように前記表示装置本体を支持する支持手段と、
を有し、
前記発光部は、前記表示装置本体の表面から見て少なくとも一部分が前記回転軸と重なるように配置され、且つ前記タッチパネルは、前記表示装置本体の表面から見て前記回転軸とは重ならない位置に配置され、
前記支持手段は、
前記回転軸の方向における前記表示装置本体の一端側に配置されている第一の蝶番機構と、
前記回転軸の方向における前記表示装置本体の他端側に配置されている第二の蝶番機構と、
を有し、
前記発光装置は、前記回転軸の方向において前記第一の蝶番機構と前記第二の蝶番機構との間に配置され、
前記表示装置本体は、
第一の枠体と、
前記第一の枠体に嵌まり、前記第一の枠体との間で前記発光装置を収納する第二の枠体と、
を有し、
前記第一の蝶番機構は前記第一の枠体に取り付けられていて、前記第二の蝶番機構は前記第二の枠体に取り付けられている表示装置。
【請求項３】
表示装置本体と、
前記表示装置本体の表面に配置され、表示された画像に対する操作を検出して信号を出力するタッチパネルと、
前記表示装置本体の表面に配置された発光部に光を発するように前記表示装置本体内に配置された発光装置と、
回転軸を中心に回転することができるように前記表示装置本体を支持する支持手段と、を有し、
前記発光部は、前記表示装置本体の表面から見て少なくとも一部分が前記回転軸と重なるように配置され、且つ前記タッチパネルは、前記表示装置本体の表面から見て前記回転軸とは重ならない位置に配置され、
前記支持手段は、
前記回転軸の方向における前記表示装置本体の一端側に配置されている第一の蝶番機構と、
前記回転軸の方向における前記表示装置本体の他端側に配置されている第二の蝶番機構と、
を有し、
前記発光装置の発光面を有する部材は、前記回転軸の方向において一端側の幅が他端側の幅よりも狭く、前記第一の蝶番機構は、前記第二の蝶番機構よりも前記回転軸方向において長さが長い表示装置。
【請求項４】
前記発光装置は、前記発光部に向けて光を発する発光面を有する部材を有し、前記発光面は前記回転軸と平行である請求項１乃至３いずれか記載の表示装置。
【請求項５】
画像形成装置本体と、
前記画像形成装置本体に装着されている表示装置と、
を有し、
前記表示装置は、
表示装置本体と、
前記表示装置本体の表面に配置され、表示された画像に対する操作を検出して信号を出力するタッチパネルと、
前記表示装置本体の表面に配置された発光部に光を発するように前記表示装置本体内に配置された発光装置と、
回転軸を中心に回転することができるように前記表示装置本体を支持する支持手段と、
を有し、
前記発光部は、前記表示装置本体の表面から見て少なくとも一部分が前記回転軸と重なるように配置され、且つ前記タッチパネルは、前記表示装置本体の表面から見て前記回転軸とは重ならない位置に配置され、
前記支持手段は、
前記回転軸の方向における前記表示装置本体の一端側に配置されている第一の蝶番機構と、
前記回転軸の方向における前記表示装置本体の他端側に配置されている第二の蝶番機構と、
を有し、
前記発光装置は、前記回転軸の方向において前記第一の蝶番機構と前記第二の蝶番機構との間に配置され、
前記発光装置の発光面を有する部材は、前記回転軸の方向において一端側の幅が他端側の幅よりも狭く、
前記第一の蝶番機構は、前記発光装置の前記一端側が前記発光装置の前記他端側よりも狭いことにより前記発光装置と前記表示装置本体との間に形成される空間に少なくとも一部が配置されている画像形成装置。
【請求項６】
画像形成装置本体と、
前記画像形成装置本体に装着されている表示装置と、
を有し、
前記表示装置は、
表示装置本体と、
前記表示装置本体の表面に配置され、表示された画像に対する操作を検出して信号を出力するタッチパネルと、
前記表示装置本体の表面に配置された発光部に光を発するように前記表示装置本体内に配置された発光装置と、
回転軸を中心に回転することができるように前記表示装置本体を支持する支持手段と、
を有し、
前記発光部は、前記表示装置本体の表面から見て少なくとも一部分が前記回転軸と重なるように配置され、且つ前記タッチパネルは、前記表示装置本体の表面から見て前記回転軸とは重ならない位置に配置され、
前記支持手段は、
前記回転軸の方向における前記表示装置本体の一端側に配置されている第一の蝶番機構と、
前記回転軸の方向における前記表示装置本体の他端側に配置されている第二の蝶番機構と、
を有し、
前記発光装置は、前記回転軸の方向において前記第一の蝶番機構と前記第二の蝶番機構との間に配置され、
前記表示装置本体は、
第一の枠体と、
前記第一の枠体に嵌まり、前記第一の枠体との間で前記発光装置を収納する第二の枠体と、
を有し、
前記第一の蝶番機構は前記第一の枠体に取り付けられていて、前記第二の蝶番機構は前記第二の枠体に取り付けられている画像形成装置。
【請求項７】
画像形成装置本体と、
前記画像形成装置本体に装着されている表示装置と、
を有し、
前記表示装置は、
表示装置本体と、
前記表示装置本体の表面に配置され、表示された画像に対する操作を検出して信号を出力するタッチパネルと、
前記表示装置本体の表面に配置された発光部に光を発するように前記表示装置本体内に配置された発光装置と、
回転軸を中心に回転することができるように前記表示装置本体を支持する支持手段と、
を有し、
前記発光部は、前記表示装置本体の表面から見て少なくとも一部分が前記回転軸と重なるように配置され、且つ前記タッチパネルは、前記表示装置本体の表面から見て前記回転軸とは重ならない位置に配置され、
前記支持手段は、
前記回転軸の方向における前記表示装置本体の一端側に配置されている第一の蝶番機構と、
前記回転軸の方向における前記表示装置本体の他端側に配置されている第二の蝶番機構と、
を有し、
前記発光装置の発光面を有する部材は、前記回転軸の方向において一端側の幅が他端側の幅よりも狭く、前記第一の蝶番機構は、前記第二の蝶番機構よりも前記回転軸方向において長さが長い画像形成装置。
【発明の詳細な説明】
【技術分野】
【０００１】
本発明は、表示装置及び画像形成装置に関する。
【背景技術】
【０００２】
特許文献１には、装置のハードウェアに関する状態を管理するシステム管理手段と、各アプリケーションからアプリケーションの状態情報及び前記システム管理手段から装置の状態情報を取得する取得手段と、装置全体の状態を確認するための状態確認画面の表示要求を受け付ける入力手段と、前記表示要求があった場合、前記取得手段が取得した前記状態情報に基づき、装置の状態表示と、各アプリケーションの状態表示とを１つの画面で行う前記状態確認画面を作成する画面作成手段と、前記画面作成手段により作成された前記状態確認画面を表示する表示手段と、を備える画像処理装置が記載されている。
【先行技術文献】
【特許文献】
【０００３】
【特許文献１】特開２０１３−１０２３５０号公報
【発明の概要】
【発明が解決しようとする課題】
【０００４】
本発明は、表示装置を小型化することができる表示装置及び画像形成装置を提供することを目的とする。
【課題を解決するための手段】
【０００５】
請求項１に係る本発明は、表示装置本体と、前記表示装置本体内に配置された発光装置と、回転軸を中心に回転することができるように前記表示装置本体を支持する支持手段と、を有し、前記発光装置は、少なくとも一部分が前記回転軸と重なるように配置されている表示装置である。
【０００６】
請求項２に係る本発明は、前記発光装置は、前記表示装置本体の外側に向けて光を発する発光面を有し、前記発光面は前記回転軸と平行である請求項１記載の表示装置である。
【０００７】
請求項３に係る本発明は、前記支持手段は、前記回転軸の方向における前記表示装置本体の一端側に配置されている第一の蝶番機構と、前記回転軸の方向における前記表示装置本体の他端側に配置されている第二の蝶番機構と、を有し、前記発光装置は、前記回転軸の方向において前記第一の蝶番機構と前記第二の蝶番機機構との間に配置されている請求項１又は２記載の表示装置である。
【０００８】
請求項４に係る本発明は、前記発光装置は、前記回転軸の方向において一端側の幅が他端側の幅よりも狭く、前記第一の蝶番機構は、前記発光装置の前記一端側が前記発光装置の前記他端側よりも狭いことにより前記発光装置と前記表示装置本体との間に形成される空間に少なくとも一部が配置されている請求項３記載の表示装置である。
【０００９】
請求項５に係る本発明は、前記表示装置本体は、第一の枠体と、前記第一の枠体に嵌まり、前記第一の枠体との間で前記発光装置を収納する第二の枠体と、
を有し、前記第一の蝶番機構は前記第一の枠体に取り付けられていて、前記第二の蝶番機構は前記第二の枠体に取り付けられている請求項３又は４記載の表示装置である。
【００１０】
請求項６に係る本発明は、画像形成装置本体と、前記画像形成装置本体に装着されている表示装置と、を有し、前記表示装置は、表示装置本体と、前記表示装置本体内に配置された発光装置と、回転軸を中心に回転することができるように前記表示装置本体を支持する支持手段と、を有し、前記発光装置は、少なくとも一部分が前記回転軸と重なるように配置されている画像形成装置である。
【発明の効果】
【００１１】
請求項１に係る本発明によれば、表示装置を小型化することができる。
【００１２】
請求項２に係る本発明によれば、発光面と回転軸とが平行でない表示装置で生じる虞がある表示装置の回転に伴う視覚性の悪化を抑制することができる。
【００１３】
請求項３に係る本発明によれば、発光装置が第一の蝶番機構と第二の蝶番機構との間以外の位置に配置されている表示装置と比較して、表示装置を小型化することができる。
【００１４】
請求項４に係る本発明によれば、一端部の幅と他端部の幅とが同じ発光装置を用いる場合には形成されない空間を表示装置本体内に形成することができ、形成される空間に第一の蝶番機構を配置することで、一端部の幅と他端部の幅とが同じ発光装置を用いる場合と比較して表示装置を小型化することができる。
【００１５】
請求項５に係る本発明によれば、第一の蝶番機構と第二の蝶番機構とが同じ部材に取り付けられている表示装置と比較して、表示装置が回転することに伴う表示装置本体の歪みの発生を抑制することができる。
【００１６】
請求項６に係る本発明によれば、表示装置を小型化することができる。
【図面の簡単な説明】
【００１７】
【図１】本発明の実施形態に係る画像形成装置を示す図である。
【図２】図１に示されている画像形成装置が有する表示装置を正面から示す図である。
【図３】図２に示されている表示装置の図２におけるＡ−Ａ線断面を示す図である。
【発明を実施するための形態】
【００１８】
次に、本発明を実施するための形態を図面を参照して説明する。図１には本発明の実施形態に係る画像形成装置９００が示されている。画像形成装置９００は、例えば電子写真方式やインクジェット方式等で画像を形成する装置であり、図１に示されているように、画像形成装置本体９１０と表示装置１０とを有する。画像形成装置本体９１０は、表示装置１０が装着される被装着物として用いられている。この形態においては、表示装置１０は画像形成装置９００に対して取り付けられているものの、表示装置１０は、例えば各種通信機器、各種電化製品等の画像形成装置以外の装置に取り付けて用いることもできる。
【００１９】
表示装置１０は、表示装置本体２０を有し、表示装置本体２０が画像形成装置本体９１０に対して、回転軸ａを中心に回転することができるように装着されている。表示装置１０は、画像形成装置９００の状態を表示するために用いられているとともに、画像形成装置９００を操作するために用いられている。
【００２０】
図２には、表示装置１０が前側から示されている。図２に示されているように、表示装置本体２０の前側の面には、タッチパネル４０と、発光部４２と、発光部４４と、操作部４６と、操作部４８とが取り付けられている。タッチパネル４０は、画像形成装置９００の状態を表示する機能と、画像形成装置９００を操作する機能とを備えている。タッチパネル４０を用いて画像形成装置９００を操作するには、操作者がタッチパネル４０に表示された絵やピクトグラムなどの点又は領域に手で触れたり、専用のスタイラス（不図示）等と呼ばれるペンや一般のペンで圧力を加えたりする等により、触れられた画面位置の情報を感知して画像形成装置９００へ信号として出力する。
【００２１】
発光部４２と発光部４４とは、画像形成装置９００の状態を示すために例えば予め定められた色で発光する。操作部４６と操作部４８とは、画像形成装置９００を操作するために用いられて、例えば押圧式のスイッチ装置を用いることができる。
【００２２】
表示装置本体２０の前側の面には、発光部６０がさらに取り付けられている。発光部６０は、例えば互いに異なる複数の色の発し、例えば赤の光と青の光とを発する。
【００２３】
図３には、表示装置１０の断面が示されている。表示装置１０は、先述のように表示装置本体２０を有し、表示装置本体２０が、回転軸ａを中心に回転することができるように画像形成装置本体９１０に対して取り付けられている（図１も参照）。また、表示装置１０は、表示装置本体２０に加えて、発光装置１００と、支持機構２００とを有する。
【００２４】
表示装置本体２０は、第一の枠体２２と、第二の枠体２４とを有する。第二の枠体２４は、図３における下側から第一の枠体２２に嵌まり、第一の枠体２２との間に発光装置１００を収納している。また、第一の枠体２２には、光を透過することができる光透過性部材２６が取り付けられている。光透過性部材２６の表示装置本体２０における外側の部分は、先述の発光部６０（図２も参照）として用いられている。光透過性部材２６としては例えば板状のガラスや、板状の樹脂等を用いることができる。
【００２５】
発光装置１００は、表示装置本体２０内に配置されていて、第一の枠体２２に対して装着されている。また、発光装置１００は、互いに異なる色の光を発する第一の発光素子１０２及び第二の発光素子１０４と、プリズム１１０と、第一の発光素子１０２、第二の発光素子１０４及びプリズム１１０を支持する支持部材１２０とを有する。第一の発光素子１０２としては、例えば青色の光を発するＬＥＤ（light emitting diode）を用いることができ、第二の発光素子１０４としては、例えば赤色の光を発するＬＥＤを用いることができる。
【００２６】
プリズム１１０は、入射面１１２と発光面１１４とを有し、第一の発光素子１０２と第二の発光素子１０４とから入射面１１２へと入射された光をそれぞれに屈折させ、屈折させた光を、発光面１１４から表示装置本体２０の外側へと向け、光透過性部材２６を通過させるようにしてそれぞれに照射させる。ここで、発光面１１４は、回転軸ａと平行となっている。このため、発光面１１４と回転軸ａとが平行でない表示装置場で生じる虞がある表示装置１０の回転に伴う視覚性の悪化を抑制することができる。
【００２７】
支持部材１２０には、第一の発光素子１０２と、第二の発光素子１０４と、プリズム１１０とが装着されていて、支持部材１２０は第一の枠体２２に対して装着されている。すなわち、第一の発光素子１０２と、第二の発光素子１０４と、プリズム１１０とは、支持部材１２０を介して第一の枠体２２に対して装着されている。
【００２８】
また、発光装置１００は、表示装置本体２０内において、少なくとも一部分が回転軸ａと重なるように配置されている。このため、発光装置１００のどの部分も回転軸ａと重ならいように発光装置１００を配置する場合と比較し、発光装置１００を回転軸ａに接近した位置に配置できるようになり、発光装置１００のどの部分も回転軸ａと重ならいように発光装置１００を配置する場合と比較して表示装置１０を小型化することができるようになる。
【００２９】
また、発光装置１００は、回転軸ａの方向における一端側にあたる図３における右側の幅が、回転軸ａの方向における他端側にあたる図３における左側の幅よりも狭い。このため、表示装置１０は、右側の幅と左側の幅とが同じ発光装置１００を用いる場合には形成されない空間Ｓを表示装置本体２０内に形成することができる。
【００３０】
また、発光装置１００は、回転軸ａの方向において後述する第一のヒンジ２１０と後述する第二のヒンジ２５０との間に配置されている。このため、発光装置１００が第一のヒンジ２１０と第二のヒンジ２５０との間以外の位置に配置されている表示装置と比較して、表示装置本体２０内の空間に無駄をなくすことができ、表示装置１０を小型化することができる。
【００３１】
支持機構２００は、回転軸ａを中心に回転することができるように表示装置本体２０を支持する支持手段として用いられていて、第一のヒンジ２１０と、第二のヒンジ２５０とを有する。第一のヒンジ２１０は、回転軸ａの方向における一端側にあたる図３における右側配置されている第一の蝶番機構として用いられていて、第一の枠体２２に対して取り付けられている。
【００３２】
また、第一のヒンジ２１０は、固定部材２１４と回転部材２２０とを有する。固定部材２１４は、例えば図３における左側の部分が第一の枠体２２に対して固定されている。また、固定部材２１４の図３における右側の部分は、回転部材２２０を回転可能に支持するように、回転軸ａと水平な円柱形状となっている。
【００３３】
回転部材２２０は、例えば固定部材２１４の側が開放された円筒形状をしていて、回転軸ａを中心として固定部材２１４に対して回転することができるように、固定部材２１４に対して取り付けられている。また、回転部材２２０は、外側の面からさらに外側に伸びる脚部分２２２を有し、脚部分２２２が画像形成装置本体９１０（図１も参照）に対して固定されている。
【００３４】
また、第一のヒンジ２１０は、少なくとも一部分が、空間Ｓ内に位置するように表示装置本体２０内に配置されている。より具体的には、第一のヒンジ２１０は、固定部材２１４の図３における左端部側の部分が空間Ｓに配置されている。ここで、空間Ｓとは、先述のように、発光装置１００の図３における右側の幅を図３における左側の幅よりも狭くすることにより表示装置本体２０内に形成される空間である。表示装置１０においては、空間Ｓに第一のヒンジ２１０の少なくとも一部分が位置するように第一のヒンジ２１０が配置されているため、第一のヒンジ２１０のいかなる部分も空間Ｓに位置することがないように第一のヒンジ２１０が配置されている場合と比較して、表示装置１０を小型化することができる。
【００３５】
第二のヒンジ２５０は、回転軸ａの方向における他端側にあたる図３における左側配置されている第二の蝶番機構として用いられていて、第二の枠体２４に対して取り付けられている。
【００３６】
また、第二のヒンジ２５０は、固定部材２５４と回転部材２６０とを有する。固定部材２５４は、例えば図３における右側の部分が第二の枠体２４に対して固定されている。また、固定部材２５４の図３における左側の部分は、回転部材２６０を回転可能に支持するように、回転軸ａと水平な円柱形状となっている。
【００３７】
回転部材２６０は、例えば固定部材２５４の側が開放された円筒形状であり、回転軸ａを中心として固定部材２５４に対して回転することができるように、固定部材２５４に対して取り付けられている。また、回転部材２６０は、外側の面からさらに外側に伸びる脚部分２６２を有し、脚部分２６２が画像形成装置本体９１０（図１も参照）に対して固定されている。
【００３８】
以上のように、第一のヒンジ２１０が第一の枠体２２に取り付けられているのに対して、第二のヒンジ２５０は第二の枠体２４に対して取り付けられている。このため、第一のヒンジ２１０と第二のヒンジ２５０とが同じ部材に取り付けられている場合と比較して、表示装置１０が回転することに伴う表示装置本体２０の歪みの発生を抑制することができる。
【産業上の利用可能性】
【００３９】
以上で説明をしたように、本発明は、例えば複写機、ファクシミリ装置、プリンター等の画像形成装置と、例えばこれらの画像形成装置で用いることができる表示装置とに適用することができる。
【符号の説明】
【００４０】
１０・・・表示装置
２０・・・表示装置本体
２２・・・第一の枠体
２４・・・第二の枠体
１００・・・発光装置
１１４・・・発光面
２００・・・支持機構
２１０・・・第一のヒンジ
２５０・・・第二のヒンジ
９００・・・画像形成装置
９１０・・・画像形成装置本体
ａ・・・回転軸
【図１】
0006746093.tif 000002
【図２】
0006746093.tif 000003
【図３】
0006746093.tif 000004